(57)【要約】【課題】デジタル受信機側と電話回線側とに備える電話回線用のワイヤレス通信ユニットの低消費電力化を実現する。特に、電話回線側に備えるワイヤレス通信ユニットへの供給電源の構成を非常に簡単な構成とし、電話回線側の電源の配線の煩わしさを解消する。【解決手段】所定のワイヤレス通信プロトコルに従って通信する通信手段を持つ電話回線用のワイヤレス通信ユニットをデジタル受信機側と電話回線側とに備えたデジタル受信機用電話回線ワイヤレス装置において、電話回線用のワイヤレス通信ユニット１および２をＺｉｇＢｅｅワイヤレス通信プロトコルに従って動作するように構成する。そして、電話回線側に備えた電話回線用のワイヤレス通信ユニット２は、電話回線に重畳されている直流電源を動作用電力として用いるように構成する。【選択図】図１
2008141711.tif 000002
【特許請求の範囲】
【請求項１】
所定のワイヤレス通信プロトコルに従って通信する通信手段を持つ電話回線用のワイヤレス通信ユニットをデジタル受信機側と電話回線側とに備えたデジタル受信機用電話回線ワイヤレス装置において、
前記電話回線用のワイヤレス通信ユニットが、ＺｉｇＢｅｅワイヤレス通信プロトコルに従って動作するように構成したことを特徴とするデジタル受信機用電話回線ワイヤレス装置。
【請求項２】
前記電話回線側に備えた電話回線用のワイヤレス通信ユニットは、電話回線に重畳されている直流電源を動作用電力として用いたことを特徴とする請求項１記載のデジタル受信機用電話回線ワイヤレス装置。
【請求項３】
前記電話回線側に備えた電話回線用のワイヤレス通信ユニットは、電話回線に重畳されている直流電源を所定の電圧値または電流値に変換する電源変換器を介して動作用電力として用いたことを特徴とする請求項１または２記載のデジタル受信機用電話回線ワイヤレス装置。
【請求項４】
前記電話回線側に備えた電話回線用のワイヤレス通信ユニットは、電話回線に重畳されている直流電源を蓄電池回路で蓄電するように構成し、前記蓄電池回路の出力を動作用電力として用いたことを特徴とする請求項１から３のうちいずれか一項記載のデジタル受信機用電話回線ワイヤレス装置。
【請求項５】
前記電話回線側に備えた電話回線用のワイヤレス通信ユニットは、電池電源を動作用電力として用いたことを特徴とする請求項１記載のデジタル受信機用電話回線ワイヤレス装置。
【請求項６】
所定のワイヤレス通信プロトコルに従って通信する通信手段を持つ電話回線用のワイヤレス通信ユニットをデジタル受信機側と電話回線側とに備えたデジタル受信機用電話回線ワイヤレス装置において、
前記電話回線用のワイヤレス通信ユニットが、微弱無線通信、省電力無線通信、ブルートゥース、ＩＥＥＥ８０２．１１規格、ＷｉＦｉおよび赤外線のプロトコルの内、少なくとも１つのプロトコルに従って動作するように構成したことを特徴とするデジタル受信機用電話回線ワイヤレス装置。
【発明の詳細な説明】
【技術分野】
【０００１】  本発明は、視聴者側に設置される衛星放送受信機や地上波デジタル放送受信機等のデジタル受信機と電話回線との間をワイヤレス通信手段により接続するデジタル受信機用電話回線ワイヤレス装置に関する。
【背景技術】
【０００２】  視聴者側に設置されるデジタル受信機には、一般的に、ＣＡＳ機能（ＣＡＳ：限定受信システム）が内蔵されており、ＩＤ番号が記録されたＢ−ＣＡＳカードをデジタル受信機に装着することによって、ＣＡＳ機能を利用することが可能となる。【０００３】  このＢ−ＣＡＳカードに記録されたＩＤ番号を、電話回線を通じてサービス提供会社等に送信することによって、例えば、有料放送サービスのスクランブル解除や、双方向データサービスの提供を受けることができ、視聴者は、見たい番組や、欲しい情報をテレビ画面に表示することができるようになる。【０００４】  しかしながら、多くの視聴者は、デジタル受信機と電話回線との間の電話線の配線が面倒であること、あるいは、デジタル受信機の設置場所の近くに電話回線が引き込まれていない等の理由により、電話回線に接続しない状態でデジタル受信機を使用している場合が多い。【０００５】  このような電話線の配線の煩わしさを解消するために、デジタル受信機と電話回線との間をワイヤレスとする電話回線用ワイヤレスユニットが現在市販されている。この現在市販されている電話回線用ワイヤレスユニットは、その通信手段として特定小電力無線の技術が使われており、付属されたＡＣアダプタを介して動作電力を供給するように構成されている。【０００６】  ところで、最近、消費電力が極めて少なく、ランニングコストのかからない近距離の無線通信規格として期待されている「ＺｉｇＢｅｅ（ジグビー）」がある。【０００７】  このＺｉｇＢｅｅは、家電向けの短距離無線通信規格の一つであり、低速で転送距離が短い代わりに、安価で消費電力が極めて少ないという特徴を持つ。電気的な基礎部分の仕様は、ＩＥＥＥＥ８０２．１５．４として規格化されている。【０００８】  このＺｉｇＢｅｅのデータ転送速度は、２０Ｋｂｐｓ〜２５０Ｋｂｐｓで、使用する無線周波数帯域によって異なり、２．４ＧＨｚでは、２５０Ｋｂｐｓ、９０２ＭＨｚ〜９２８ＭＨｚでは、４０Ｋｂｐｓ、８６８ＭＨｚ〜８７０ＭＨｚでは、２０Ｋｂｐｓとなる。【０００９】  また、このＺｉｇＢｅｅを９００ＭＨｚ帯に用いたものは、主に米国向け、８００ＭＨｚ帯を用いたものは、主に欧州向けの仕様であり、電波法の関係から日本国内で使用できるのは、現在、２．４ＧＨｚ帯を用いた仕様のみである。【００１０】  また、このＺｉｇＢｅｅの最大伝送距離は、１００ｍ程度であり、送受信の頻度にもよるが、乾電池（例えば、３．０Ｖ駆動）程度の電力で、数年間の稼働が可能であり、電源も含めて完全に無配線で、しかも、低消費電力、低ランニングコストの家電ネットワークを構築することが可能である。【００１１】  上述したＺｉｇＢｅｅ無線規格に従って作動する無線モジュールを用いた従来例としては、音響機器やテレビジョンの遠隔操作用リモートコントローラの通信手段として利用したものが提案されている（例えば、特許文献１参照）。【００１２】  また、上述したＺｉｇＢｅｅ無線規格に従って作動する無線モジュールを用いた他の従来例としては、着脱可能なディスプレイをもつデジタルカメラに採用し、デジタルカメラ本体とディスプレイとの間をワイヤレス通信により接続するように構成したものが提案さ��ている（例えば、特許文献２参照）。【００１３】
【特許文献１】特表２００６−５１３６０１号公報
【特許文献２】特開２００６−５０９４６０号公報
【発明の開示】
【発明が解決しようとする課題】
【００１４】  上述したデジタル受信機と電話回線との間の電話線の配線の煩わしさを解消することを目的として製品化され、現在市販されている電話回線用ワイヤレスユニットは、動作用の電源として、付属されたＡＣアダプタまたはＡＣ電源を用いる必要があり、この電源の配線が煩わしく、さほど普及していない。特に、電話回線のローゼット（外線端子板）近くにＡＣ電源用コンセントが設置されていない場合が多く、電話回線側の電源の配線がしにくいという問題があった。【００１５】  本発明は、このような従来の構成が有していた問題を解決しようとするものであり、デジタル受信機側と電話回線側とに備える電話回線用のワイヤレス通信ユニットの低消費電力化を実現することにより、特に、電話回線側に備えるワイヤレス通信ユニットへの供給電源の構成を非常に簡単な構成とし、電源の配線の煩わしさを解消することが可能なデジタル受信機用電話回線ワイヤレス装置を提供することを目的とするものである。
【課題を解決するための手段】
【００１６】  本発明は、上記の目的を達成するために、所定のワイヤレス通信プロトコルに従って通信する通信手段を持つ電話回線用のワイヤレス通信ユニットをデジタル受信機側と電話回線側とに備えたデジタル受信機用電話回線ワイヤレス装置において、前記電話回線用のワイヤレス通信ユニットが、ＺｉｇＢｅｅワイヤレス通信プロトコルに従って動作するように構成したものである。【００１７】  そして、本発明は、上述したデジタル受信機用電話回線ワイヤレス装置において、以下の態様の発明をも提供するものである。【００１８】  まず、前記電話回線側に備えた電話回線用のワイヤレス通信ユニットは、電話回線に重畳されている直流電源を動作用電力として用いることが効果的である。【００１９】  また、前記電話回線側に備えた電話回線用のワイヤレス通信ユニットは、電話回線に重畳されている直流電源を所定の電圧値または電流値に変換する電源変換器を介して動作用電力として用いることが望ましい。【００２０】  また、前記電話回線側に備えた電話回線用のワイヤレス通信ユニットは、電話回線に重畳されている直流電源を蓄電池回路で蓄電するように構成し、前記蓄電池回路の出力を動作用電力として用いることが効果的である。【００２１】  また、前記電話回線側に備えた電話回線用のワイヤレス通信ユニットは、電池電源を動作用電源として用いることも可能である。【００２２】  さらに、本発明は、所定のワイヤレス通信プロトコルに従って通信する通信手段を持つ電話回線用のワイヤレス通信ユニットをデジタル受信機側と電話回線側とに備えたデジタル受信機用電話回線ワイヤレス装置において、前記電話回線用のワイヤレス通信ユニットが、微弱無線通信、省電力無線通信、ブルートゥース、ＩＥＥＥ８０２．１１規格、ＷｉＦｉおよび赤外線のプロトコル内、少なくとも１つのプロトコルに従って動作するように構成したものである。
【発明の効果】
【００２３】  上述したように構成した本発明のデジタル受信機用電話回線ワイヤレス装置は、デジタル受信機側と電話回線側とに備えた電話回線用のワイヤレス通信ユニットをＺｉｇＢｅｅワイヤレス通信プロトコルに従って動作するように構成することにより、低消費電力を実現することができる。【００２４】  この結果、特に、電話回線側のワイヤレス通信ユニットは、電話回線に重畳されている直流電源からの供給電源で賄うことを可能とし、ワイヤレス通信ユニットへの供給電源の構成を非常に簡単な構成とすることができるため、電源の配線の煩わしさを解消することができる。
【発明を実施するための最良の形態】
【００２５】  以下、本発明の実施の形態を図１に基づいて説明する。図１は本発明の実施の形態に係る全体構成を示す機能説明図である。【００２６】  本発明のデジタル受信機用電話回線ワイヤレス装置は、図１に示すように、視聴者側に設置されるデジタル放送受信機（Ｓｅｔ  Ｔｏｐ  Ｂｏｘ：ＳＴＢ）（図示しない）側には、電話回線用のワイヤレス通信ユニット１を備えている。このワイヤレス通信ユニット１は、ワイヤレス通信回路１１や送受信アンテナ１２等から構成され、ＳＴＢ本体に設けられた電話回線接続端子（図示しない）に接続されている。また、このワイヤレス通信ユニット１は、動作用の電源１３として、付属されたＡＣアダプタまたはＡＣ電源を用いている。【００２７】  一方、電話回線側には、ローゼット（外線端子板）に設けられた電話回線接続端子（図示しない）に接続された電話回線用のワイヤレス通信ユニット２を備えている。このワイヤレス通信ユニット２は、ワイヤレス通信回路２１や送受信アンテナ２２等から構成されている。また、このワイヤレス通信ユニット２は、動作用の電源２３として、電話回線に重畳されている直流電源を動作用電力として用いるように構成されている。【００２８】  さらに、このＳＴＢ側および電話回線側に備えた電話回線用のワイヤレス通信ユニット１およびワイヤレス通信ユニット２は、ＺｉｇＢｅｅワイヤレス通信プロトコルに従って動作するように構成されている。このＺｉｇＢｅｅは、データ量の関係から一般的には音声を通信するには向いていないが、ＳＴＢのデータ通信のように、音声を扱わず、通信頻度も１日に数分程度と、比較的通信量の少ないデータ通信には、最適なプロトコルとなっている。【００２９】  また、電話回線用のワイヤレス通信ユニット１およびワイヤレス通信ユニット２にＺｉｇＢｅｅワイヤレス通信プロトコルを使うことにより、ＺｉｇＢｅｅは、消費電力が極めて少ないため、電話回線側に備えた電話回線用のワイヤレス通信ユニット２は、電話回線に重畳されている直流電源を動作用電力として用いることが可能となる。【００３０】  この結果、電話回線側に備えたワイヤレス通信ユニット２の供給電源の構成を非常に簡単な構成とすることができ、電源の配線の煩わしさを解消することができる。【００３１】  なお、本発明は、放送衛星を用いるＢＳデジタル放送、通信衛星を用いるＣＳデジタル放送、あるいは、地上波デジタル放送等種々のデジタル放送のデジタル受信機に適用可能である。
【実施例１】
【００３２】  本発明を適用した電話回線用のワイヤレスユニットを、図２の（ａ）および（ｂ）の構成例を示すブロック図に基づき説明する。
ＳＴＢ側には、図２の（ａ）に示すように構成した電話回線用のワイヤレス通信ユニット１を備えている。【００３３】  このワイヤレス通信ユニット１には、動作電力が少ないＺｉｇＢｅｅを採用しているワイヤレス通信回路１１と、送受信アンテナ１２と、ＳＴＢ側との電話回線を通じて通信を行なうためのインターフェース回路としての働きをする電話回線回路１４と、ＳＴＢ側に設けた電話接続端子（図示しない）へ接続する電話接続端子１５と、ワイヤレス通信回路１１および電話回線回路１４を制御する通信制御プロセッサ１６と、付属されたＡＣアダプタ１３を通じて、ワイヤレス通信回路１１内部の各回路へ動作用電力を供給する電源回路１７から構成されている。【００３４】  一方、図２の（ｂ）に示すように、電話回線側には、ローゼット（外線端子板）に設けられた電話回線接続端子（図示しない）に接続され、ＳＴＢ側と同様の動作をする電話回線用のワイヤレス通信ユニット２を備えている。【００３５】  このワイヤレス通信ユニット２には、動作電力が少ないＺｉｇＢｅｅを採用していろワイヤレス通信回路２１と、送受信アンテナ２２と、常に家庭用電話機が使用されているか否かのモニタを行なう機能を保有している電話回線回路２４と、ワイヤレス通信回路２１および電話回線回路２４を制御する通信制御プロセッサ２５と、ローゼット（外線端子板）へ接続する電話回線接続端子２６と、視聴者が使用している家庭用電話機を接続する電話機接続端子２７から構成されている。【００３６】  また、このワイヤレス通信ユニット２は、上述した各回路の動作用の電源として、電話回線に重畳されている直流電源を動作用電力として用いるように構成した電源回路２３を備えている。この電源回路２３は、電話回線に重畳されている直流電源を上述したワイヤレス通信ユニット２内部の各回路に必要な電圧等に変換する電源変換回路２３１と、この電源変換回路２３１で変換された電源を貯める蓄電池回路２３２とで構成されている。【００３７】  上述したように構成した本発明のデジタル受信機用電話回線ワイヤレス装置は、デジタル受信機側と電話回線側とに備えた電話回線用のワイヤレス通信ユニット１およびワイヤレス通信ユニット２をＺｉｇＢｅｅワイヤレス通信プロトコルに従って動作するように構成することにより、低消費電力、低ランニングコストを実現することができる。【００３８】  この結果、特に、電話回線側のワイヤレス通信ユニット２は、電話回線に重畳されている直流電源からの供給電源で賄うことを可能とし、ワイヤレス通信ユニット２への供給電源の構成を非常に簡単な構成とすることができるため、電源の配線の煩わしさを解消することができる。
【実施例２】
【００３９】  次に、本発明の第２の実施形態について説明する。
本発明のデジタル受信機用電話回線ワイヤレス装置は、上記実施例１で述べたように、デジタル受信機側と電話回線側とに備えた電話回線用のワイヤレス通信ユニット１およびワイヤレス通信ユニット２をＺｉｇＢｅｅワイヤレス通信プロトコルに従って動作するように構成することにより、低消費電力駆動を実現する。【００４０】  このように、ＺｉｇＢｅｅを採用したことにより、低消費電力駆動が可能となり、図２の（ｂ）に示す電話回線側に備えたワイヤレス通信ユニット２に設けた電源回路２３の電源変換器２３１と蓄電池回路２３２の構成を、電池を使った回路（電池電源回路）に置き換えることも可能である。【００４１】  上記のように、電源回路２３を電池を使った回路（電池電源回路）に置き換えることにより、送受信の頻度にもよるが、乾電池（例えば、３．０Ｖ駆動）程度の電力で、数年間の稼働が可能であり、電源も含めて完全に無配線で、しかも、低消費電力、低ランニングコストのワイヤレス通信ユニットを構築することが可能である。
【実施例３】
【００４２】  さらに、本発明の第３の実施形態について説明する。
上記実施例１および実施例２で述べた本発明のデジタル受信機用電話回線ワイヤレス装置は、デジタル受信機側と電話回線側とに備えた電話回線用のワイヤレス通信ユニット１およびワイヤレス通信ユニット２をＺｉｇＢｅｅワイヤレス通信プロトコルに従って動作するように構成したことを特長としているが、このＺｉｇＢｅｅに変えて、デジタル受信機側機側と電話回線側とに備えた電話回線用のワイヤレス通信ユニット１およびワイヤレス通信ユニット２を、微弱無線通信、省電力無線通信、ブルートゥース、ＩＥＥＥ８０２．１１規格、ＷｉＦｉおよび赤外線のプロトコル内、少なくとも１つのプロトコルに従って動作するように構成することも可能である。【００４３】  このように、デジタル受信機側機側と電話回線側とに備えた電話回線用のワイヤレス通信ユニット１およびワイヤレス通信ユニット２を、微弱無線通信、省電力無線通信、ブルートゥース、ＩＥＥＥ８０２．１１規格、ＷｉＦｉおよび赤外線のプロトコル内、少なくとも１つのプロトコルに従って動作するように構成することにより、低消費電力、低ランニングコストを実現することができる。【００４４】  この結果、特に、電話回線側のワイヤレス通信ユニット２は、電話回線に重畳されている直流電源からの供給電源、あるいは電池電源で賄うことを可能とし、ワイヤレス通信ユニット２への供給電源の構成を非常に簡単な構成とすることができるため、電源の配線の煩わしさを解消することができる。
【図面の簡単な説明】
【００４５】
【図１】本発明の実施の形態に係る全体構成を示す機能説明図である。
【図２】図１のＳＴＢ側と電話回線側の構成例を示すブロック図である。
【符号の説明】
【００４６】    １      ワイヤレス通信ユニット
１１    ワイヤレス通信回路
１２    送受信アンテナ
１３    電源（ＡＣアダプタ）
１４    電話回線回路
１５    電話接続端子
１６    通信制御プロセッサ
１７    電源回路
２      ワイヤレス通信ユニット
２１    ワイヤレス通信回路
２２    送受信アンテナ
２３    電源
２３１  電源変換器
２３２  蓄電池回路
２４    電話回線回路
２５    通信制御プロセッサ
２６    電話回線接続端子
２７    電話機接続端子
【図１】
2008141711.tif 000003
【図２】
2008141711.tif 000004